(57)【要約】【課題】被写体人物側での視認性を高めると共に意匠性に富んだ表現を可能とする発光部と複数の発光パターンを備え、目的により異なる発光パターンを選択可能な撮像装置、発光方法、及び発光プログラムの提供。【解決手段】デジタルカメラ１は導光リング２２に覆われた多色発光可能な発光源２０−１、２０−２、２０−３、・・・を備えている。時系列信号を発光源２０−１、２０−２、２０−３に与える時間をずらすことで導光リング２２上を回転して見えるようにできる。また、時系列信号のパターンを発光タイミング毎に記述した発光定義情報ファイルをライブラリとして複数保存メモリに蓄積でき、格納されている発光定義情報ファイルを撮影の目的に応じて選択して取り出し、使用できる。発光定義情報ファイル（ライブラリ）はユーザが編集可能であり保存メモリに格納される。【選択図】  図３
2004356969.tif 000002
【特許請求の範囲】
【請求項１】
複数個の発光色の異なる発光素子からなる発光源を撮像レンズの周囲に複数個配置してなる発光部と、発光タイミング毎に規定された発光定義情報からなる発光ライブラリファイルを記憶した発光ライブラリメモリと、前記発光ライブラリファイルを選択する選択手段と、各発光源の各発光素子を前記選択手段によって選択された発光ライブラリファイルに含まれている発光定義情報に基づいて発光させることにより前記発光部を発光させ、撮像装置の動作状況の示唆又は装飾照明を行う発光制御手段と、を備えたことを特徴とする発光部付き撮像装置。
【請求項２】
前記発光部は撮像レンズの周囲に同心円状に配置され、前記発光制御手段による発光制御によりリング状に光ることを特徴とする請求項１記載の発光部付き撮像装置。
【請求項３】
複数個の発光色の異なる発光素子からなる発光源を撮像レンズの周囲に複数個同心円状に配置してなる発光部と、発光タイミング毎に規定された発光定義情報からなる発光ライブラリファイルを記憶した発光ライブラリメモリと、前記発光ライブラリファイルを選択する選択手段と、各発光源の各発光素子を前記選択手段によって選択された発光ライブラリファイルに含まれている発光定義情報に基づいて前記各発光源の時間を発光源毎にずらして発光源単位で各発光素子を時系列的に発光させることにより前記発光部において光が回転して見えるようにする発光制御手段と、を備えたことを特徴とする発光部付き撮像装置。
【請求項４】
前記発光制御手段は、前記撮像装置の撮影待機状態時に前記発光部の発光制御を行なうことを特徴とする請求項３記載の発光部付き撮像装置。
【請求項５】
前記発光制御手段は、前記撮像装置のセルフタイマ起動時に前記発光部の発光制御を行なうことを特徴とする請求項３記載の発光部付き撮像装置。
【請求項６】
前記発光定義情報は前記各発光素子に与えるパルスデューティの数値を各発光源の各発光素子毎に時系列的に定義したものであることを特徴とする請求項１又は３に記載の発光部付き撮像装置。
【請求項７】
前記発光定義情報は前記発光源毎に各発光素子の所定の発光パターンを関数とパラメータで定義したものであることを特徴とする請求項１又は３に記載の発光部付き撮像装置。
【請求項８】
前記発光定義情報は前記発光源毎に各発光素子に与えるパルスデューティを演算手段により順次算出した結果であることを特徴とする請求項１又は３に記載の発光部付き撮像装置。
【請求項９】
前記各発光定義情報を各発光タイミング毎に編集して発光ライブラリファイルを作成する発光ライブラリ編集手段を備えた外部装置から発光ライブラリファイルを取り込む手段を備えたことを特徴とする請求項１又は３に記載の発光部付き撮像装置。
【請求項１０】
前記各発光定義情報を各発光タイミング毎に編集してなるライブラルファイルを保有するサーバから通信ネットワークを介して発光ライブラリファイルを取り込む手段を備えたことを特徴とする請求項１又は３に記載の発光部付き撮像装置。
【請求項１１】
前記各発光定義情報を各発光タイミング毎に編集して発光ライブラリファイルを作成する発光ライブラリ編集手段を備えたことを特徴とする請求項１又は３に記載の発光部付き撮像装置。
【請求項１２】
発光タイミング毎に規定された発光定義情報からなる発光ライブラリファイルを有する撮像装置において、
円形状に配置された複数個の発光色の異なる発光素子からなる発光源の各発光素子に前記発光定義情報に基づくパルスパターンデータを与えて時系列に発光させる動作を前記各発光源毎に時間を少しずつずらして行い、光が回転して見えるようにすることを特徴とする発光方法。
【請求項１３】
複数個の発光色の異なる発光素子からなる発光源を撮像レンズの周囲に複数個配置してなる発光部と、発光タイミング毎に規定された発光定義情報からなる複数の発光ライブラリファイルを有する撮像装置において、所定の発光タイミングの到来時に実行されるプログラムであって、
前記各発光素子に与えるパルスパターンデータを予め選択された発光ライブラリファイルに含まれる発光定義情報を発光タイミングに応じて取得させるステップと、前記発光定義情報から前記各発光源の各発光素子毎にパルスパターンデータを対応付けてメモリに展開させるステップと、前記メモリに展開されたパルスパターンデータに基づいて前記各発光源の各発光素子を発光させるステップと、を含むことを特徴とする発光制御プログラム。
【請求項１４】
複数個の発光色の異なる発光素子からなる発光源を撮像レンズの周囲に複数個配置してなる発光部と、発光タイミング毎に規定された発光定義情報からなる複数の発光ライブラリファイルを有する撮像装置において、撮像モード時に実行されるプログラムであって、
前記複数の発光ライブラリファイルの中から所望の発光ライブラリファイルを選択するステップと、
請求項１３に記載の発光制御プログラムに発光タイミング情報を与えて動作させるステップ、とを含むことを特徴とする撮像動作制御プログラム。
【発明の詳細な説明】
【０００１】
【発明の属する技術分野】
本発明は、デジタルカメラ等の撮像装置に関し、特に、発光部を備えた撮像装置、発光方法、及びプログラムに関する。
【０００２】
【従来の技術】
従来、カメラ用イルミネーションは、被写体側に情報を知らせる手段として用いられ、電源ＯＮ、セルフタイマ、オートフォーカス合焦等の表示用としてＬＥＤ等の光源を用い、点形状（Φ１〜２ｍｍ）に発光させていた（例えば、特許文献１参照）。
【０００３】
【特許文献１】
特開平６−２１４３０５公報
【０００４】
【発明が解決しようとする課題】
撮像装置、特に近年普及の著しいデジタルカメラでは、今日、ファッション性が求められつつあり、おしゃれな感じや光を使った機能性を訴求する例がある。
【０００５】
しかしながら、上記従来のカメラ用イルミネーションは上述したように点形状のため、視認性が悪く、画一的な表示しかできないため意匠性に乏しいという欠点があった。また、カメラ用イルミネーションは固定的に設定されており、所望の発光条件を選択できないといった不都合もあった。
【０００６】
本発明は、上記課題を解決するためになされたものであり、デジタルカメラ等の撮像装置において、被写体人物側での視認性を高めると共に意匠性に富んだ表現を可能とする発光部と複数の発光パターンを備え、目的により異なる発光パターンを選択可能な撮像装置、発光方法、及び発光プログラムの提供を目的とする。
【０００７】
【課題を解決するための手段】
上記課題を解決するために、請求項１に記載の発明は、複数個の発光色の異なる発光素子からなる発光源を撮像レンズの周囲に複数個配置してなる発光部と、発光タイミング毎に規定された発光定義情報からなる発光ライブラリファイルを記憶した発光ライブラリメモリと、発光ライブラリファイルを選択する選択手段と、各発光源の各発光素子を選択手段によって選択された発光ライブラリファイルに含まれている発光定義情報に基づいて発光させることにより発光部を発光させ、撮像装置の動作状況の示唆又は装飾照明を行う発光制御手段と、を備えたことを特徴とする発光部付き撮像装置を提供する。これにより、撮影目的に応じた発光ライブラリを選んで発光させることができるので、被写体人物の関心を撮像装置に集中させることができる。
【０００８】
また、請求項２に記載の発明は、発光部は撮像レンズの周囲に同心円状に配置され、発光制御手段による発光制御によりリング状に光ることを特徴とする請求項１記載の発光部付き撮像装置を提供する。これにより、被写体人物の視線を撮像レンズに向けることができ、被写体人物の顔がレンズに正対した好適なポートレートや集合写真を取ることができる。また、リング状の光が撮像装置の装飾効果を増す。
【０００９】
また、請求項３に記載の発明は、複数個の発光色の異なる発光素子からなる発光源を撮像レンズの周囲に複数個同心円状に配置してなる発光部と、発光タイミング毎に規定された発光定義情報からなる発光ライブラリファイルを記憶した発光ライブラリメモリと、発光ライブラリファイルを選択する選択手段と、各発光源の各発光素子を選択手段によって選択された発光ライブラリファイルに含まれている発光定義情報に基づいて各発光源の時間を発光源毎にずらして発光源単位で各発光素子を時系列的に発光させることにより発光部において光が回転して見えるようにする発光制御手段と、を備えたことを特徴とする発光部付き撮像装置を提供する。これにより、撮影目的に応じた発光ライブラリを選んで発光させることができるので、被写体人物や撮影を見ている人々の視線を撮像装置に集めることができる。また、回転する光により撮像装置に幻想的な美観を与え得る。
【００１０】
また、請求項４に記載の発明は、発光制御手段は、撮像装置の撮影待機状態時に発光部の発光制御を行なうことを特徴とする請求項３記載の発光部付き撮像装置を提供する。これにより、撮影待機時の被写体人物の関心を撮像装置に向けることができ、ポートレートや集合写真の撮影時にカメラに視線が向いた統一性のある写真を得ることができる。
【００１１】
また、請求項５に記載の発明は、発光制御手段は、撮像装置のセルフタイマ起動時に発光部の発光制御を行なうことを特徴とする請求項３記載の発光部付き撮像装置を提供する。これにより、被写体人物の関心を撮像装置に向けることができ、集合写真の撮影時にカメラに視線が向いた統一性のある写真を得ることができる。
【００１２】
また、請求項６に記載の発明は、発光定義情報は各発光素子に与えるパルスデューティの数値を各発光源の各発光素子毎に時系列的に定義したものであることを特徴とする請求項１又は３に記載の発光部付き撮像装置を提供する。これにより、パルス幅を発光源毎に且つ発光素子毎に時系列的に発光定義情報として保存しておき、撮像装置の動作タイミングに応じた発光定義情報を取り出して発光制御することができ、被写体人物や撮影を見ている人々に撮像装置の動作状況を知らせることができ、しかも、撮像装置に変化のある装飾的な美観を与え得る。
【００１３】
また、請求項７に記載の発明は、発光定義情報は発光源毎に各発光素子の所定の発光パターンを関数とパラメータで定義したものであることを特徴とする請求項１又は３に記載の発光部付き撮像装置を提供する。これにより、撮像装置の動作タイミングに応じた発光パターンを関数とパラメータで定義しておけば、撮像装置の動作タイミングに応じた発光定義情報を取り出して発光制御することができるので上記請求項６に記載の発明と同様の効果を生じ得る。
【００１４】
また、請求項８に記載の発明は、発光定義情報は発光源毎に各発光素子に与えるパルスデューティを演算手段により順次算出した結果であることを特徴とする請求項１又は３に記載の発光部付き撮像装置を提供する。これにより、撮像装置の動作タイミングに応じて係数を変化させてパルスデューティを算出できるので、撮像装置の動作タイミングに応じた発光定義情報を取り出して発光制御することができるので上記請求項７に記載の発明と同様の効果を生じ得る。
【００１５】
また、請求項９に記載の発明は、各発光定義情報を各発光タイミング毎に編集して発光ライブラリファイルを作成する発光ライブラリ編集手段を備えた外部装置から発光ライブラリファイルを取り込む手段を備えたことを特徴とする請求項１又は３に記載の発光部付き撮像装置を提供する。これにより、外部装置で編集した発光ライブラリファイルを撮像装置に取り込めるので、撮像装置側のメモリ、プログラム等の負荷を軽減することができる。
また、請求項１０に記載の発明は、各発光定義情報を各発光タイミング毎に編集してなるライブラルファイルを保有するサーバから通信ネットワークを介して発光ライブラリファイルを取り込む手段を備えたことを特徴とする請求項１又は３に記載の発光部付き撮像装置を提供する。これにより、ネットワークを介して発光ライブラリファイルを撮像装置に取り込むことができるので、撮像装置側のメモリ、プログラム等の負荷を軽減することができる。また、発光ライブラリファイル選択・収集の幅が広がる。
【００１６】
また、請求項１１記載の発明は、各発光定義情報を各発光タイミング毎に編集して発光ライブラリファイルを作成する発光ライブラリ編集手段を備えたことを特徴とする請求項１又は３に記載の発光部付き撮像装置を提供する。これにより、撮像装置側で発光ライブラリファイルを編集できるので、外部から取り込む手間がかからない。
【００１７】
また、請求項１２に記載の発明は、発光タイミング毎に規定された発光定義情報からなる発光ライブラリファイルを有する撮像装置において、円形状に配置された複数個の発光色の異なる発光素子からなる発光源の各発光素子に発光定義情報に基づくパルスパターンデータを与えて時系列に発光させる動作を各発光源毎に時間を少しずつずらして行い、光が回転して見えるようにすることを特徴とする発光方法を提供する。これにより、被写体人物や撮影を見ている人々の視線を撮像装置に集めることができる。また、回転する光により撮像装置に幻想的な美観を与え得る。
【００１８】
また、請求項１３に記載の発明は、複数個の発光色の異なる発光素子からなる発光源を撮像レンズの周囲に複数個配置してなる発光部と、発光タイミング毎に規定された発光定義情報からなる複数の発光ライブラリファイルを有する撮像装置において、所定の発光タイミングの到来時に実行されるプログラムであって、各発光素子に与えるパルスパターンデータを予め選択された発光ライブラリファイルに含まれる発光定義情報を発光タイミングに応じて取得させるステップと、発光定義情報から各発光源の各発光素子毎にパルスパターンデータを対応付けてメモリに展開させるステップと、メモリに展開されたパルスパターンデータに基づいて各発光源の各発光素子を発光させるステップと、を含むことを特徴とする発光制御プログラムを提供する。
これにより、撮像装置の発光タイミングに応じたパルスパターンデータに基づいて発光状態を変えて発光させることができるので、被写体人物や撮影を見ている人々に撮像装置の動作状況を知らせることができ、しかも、撮像装置に変化に富んだ美観を与え得る。
【００１９】
また、請求項１４に記載の発明は、複数個の発光色の異なる発光素子からなる発光源を撮像レンズの周囲に複数個配置してなる発光部と、発光タイミング毎に規定された発光定義情報からなる複数の発光ライブラリファイルを有する撮像装置において、撮像モード時に実行されるプログラムであって、複数の発光ライブラリファイルの中から所望の発光ライブラリファイルを選択するステップと、請求項１３に記載の発光制御プログラムに発光タイミング情報を与えて動作させるステップ、とを含むことを特徴とする撮像動作制御プログラムを提供する。
これにより、撮影者は撮影目的に応じた発光ライブラリを選んで発光させることができるので、被写体人物の関心を撮像装置に集中させることができる。また、各発光タイミングに応じて異なる発光を行わせることができるので、被写体人物は撮影の各タイミングを知ることができ、撮像装置に対する関心を維持できるので、被写体人物の視線の散逸や動きによるブレ等が少ない写真を撮影し得る。
【００２０】
【発明の実施の形態】
＜第１の実施の形態＞
図１は本発明に係る撮像装置の一実施例の外観を示す図であり、デジタルカメラの例を示す。また、図１（ａ）は正面図、図１（ｂ）は背面図、図１（ｃ）は平面図（上面図）である。
【００２１】
図１で、デジタルカメラ１は正面側にレンズ４を有し、更に、光学ファインダ５１、レンズ４を中心として配置された導光リング２２を有している。また、導光リング２２に覆われて見えないが導光リング２２に沿ってＲＧＢ集合灯からなる複数の発光源（発光源２０−１、２０−２、・・・）が配設されている。
【００２２】
デジタルカメラ１の背面部にはＴＦＴ液晶モニタ１８、光学ファインダ５１、録画モード（ＲＥＣモード）と再生モード（ＰＬＡＹ）との切換えを行なう切換えスイッチ５５、液晶モニタスイッチ５６、ズームキー５７、メニューキー５９、及び十字キー５４等のスイッチ及びキーが設けられている。また、上面には電源ボタン５２及びシャッターキー５３が設けられ、側部にはパーソナルコンピュータ（以下、パソコン）やモデム等の外部装置とＵＳＢケーブルを接続する場合に用いるＵＳＢ端子接続部５８が設けられている。なお、更に、正面等に赤外線通信やブルートゥース等の近接通信用の光送受口や無線通信用アンテナを設けるようにしてもよい。
【００２３】
図２は上記デジタルカメラ１の内部構成の概略を示すブロック図であり、デジタルカメラ１は撮像手段であるＣＣＤ２により撮像した画像をＪＰＥＧ形式に変換する等の画像処理機能を備えたＭＰＵ３を中心に構成されている。
【００２４】
ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバ８が出力する駆動信号が駆動機構７に供給されることにより光軸上を前後に移動する合焦動作を行なう。絞り６はＭＰＵ３からの制御信号に基き絞り駆動部９が発生する駆動信号により駆動し、ＣＣＤ２に入射する被写体像の光量を調節する。
【００２５】
また、ＭＰＵ３にはタイミング信号を発生するＴＧ（Ｔｉｍｉｎｇ  Ｇｅｎｅｒａｔｏｒ）１０が接続されており、ＴＧ１０が発生したタイミング信号に基きＶドライバ１１（垂直方向ドライバ）がＣＣＤ２を駆動し、それに伴いＣＣＤ２により被写体像の輝度に応じたアナログの撮像信号が出力されユニット回路１２に送られる。
【００２６】
ユニット回路１２は、ＣＣＤ２から出力された撮像信号を保持するＣＤＳと、ＣＤＳからアナログ信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ２からの出力信号はここで黒レベルを合わせてサンプリングされ、デジタル信号としてＭＰＵ３に送られる。
【００２７】
ＭＰＵ３に送られたデジタル信号（撮像信号）はＤＲＡＭ１３に一時保存されると共に、ＭＰＵ３によって各種の画像処理が施された後、最終的には圧縮された映像信号としてフラッシュメモリ（ＦＬＡＳＨ）１４に保存される。フラッシュメモリ（ＦＬＡＳＨ）１４に保存された映像信号は必要に応じてＭＰＵ３に読み出され、伸張処理、輝度信号及び色信号の付加等の処理を経てデジタルビデオ信号やアナログビデオ信号に変換される。
【００２８】
更に、ＭＰＵ３にはＭＲＯＭ１５、電源回路１６、図１に示した各種スイッチ及びキー群を含む操作キー部１７、前記ＴＦＴ液晶モニタ１８及び前述したＲＧＢ集合灯からなる発光源２０−１、２０−２、・・・の発光を行なわせる発光ブロック１９及び外部装置とのデータの授受を行なうＵＳＢインターフェイス２１が接続されている。また、赤外線通信やブルートゥース等の近接通信用のインターフェイスや無線通信用インターフェイスを接続するようにしてもよい。
【００２９】
ＭＲＯＭ１５はＭＰＵ３の動作プログラムが記録されたプログラム格納用ＲＯＭである。また、ＭＲＯＭ１５には撮像時の適正な露出値（ＥＶ）に対応する絞り値（Ｆ）とシャッタースピードとの組み合わせを示すプログラム線図を構成するプログラムや、ＡＥデータや、後述する導光リングの発光制御プログラム及び発光定義情報（例：図７）が格納されている。
【００３０】
ＭＲＯＭ１５に記録された動作プログラムは、撮像時に、発光制御プログラムを動作させ、ＲＧＢ集合灯のＲ、Ｇ、Ｂそれぞれの発光タイミングと発光源が複数の場合はそれらの発光順序等を制御する発光制御信号を生成させ、導光リング２２の発光制御を行わせる（図１９）。
【００３１】
ＭＰＵ３は、また、内蔵するＲＡＭをワーキングメモリとして前記動作プログラムに従って動作することにより表示制御手段や本発明の点灯制御手段として動作する。前記プログラム線図に従って前記ＣＣＤ２の電荷蓄積時間や前記絞り６の開放度、前記ユニット回路１２のゲイン調整アンプ（ＡＧＣ）のゲイン設定等を行なう。
【００３２】
ＭＰＵ３が設定した電荷蓄積時間はシャッターパルスとしてＴＧ１０を介してＶドライバ１１に供給され、これに従いＶドライバ１１がＣＣＤ２を駆動することにより電荷蓄積時間すなわち露光時間が制御される。つまり、ＣＣＤ２は電子シャッターとして機能する。また、ＭＲＯＭ１５に記録された動作プログラムにはオートフォーカス制御に関するプログラムが含まれており、かかるプログラムに基きＭＰＵ３は前記フォーカスレンズ５を駆動させてピント合わせ（オートフォーカス）を行なう。
【００３３】
ＴＦＴ液晶モニタ１８は、録画モードにおいては逐次撮像された画像をスルー画像として表示し、再生モードにおいては前記フラッシュメモリ１４に保存された画像データ（圧縮された映像信号）から生成されたアナログビデオ信号に基く映像を表示する。
【００３４】
発光ブロック１９は前述したＲＧＢ集合灯からなる発光源２０−１、２０−２、・・・に電気的に接続し、必要に応じて駆動されるもので、例えば、撮像時に、ＭＰＵ３で発光制御プログラムに従って生成される発光制御信号に基いて発光源２０または発光源２０を構成するＲＧＢ集合灯のうちの特定のＬＥＤを発光させる。
【００３５】
イルミネーションライブラリメモリ２３には、パソコン等の外部装置からＵＳＢインターフェイス２１を介して読み込まれた導光リング２２の発光パターンを基とした発光定義情報が保存される。ＭＰＵ３は操作キー部１７からのユーザの指示により、外部装置で編集・作成された発光定義情報をイルミネーションライブラリメモリ２３に保存する。イルミネーションライブラリメモリ２３は書き込みＲＯＭからなる。なお、フラッシュメモリ１４の所定の領域をイルミネーションライブラリメモリ２３として用いるようにしてもよい。
【００３６】
図３は本発明の発光部を備えた撮像装置の概要説明図であり、図１に示したデジタルカメラ１は導光リング２２に光を供給する多色発光可能な発光源２０−１、２０−２、２０−３、・・を少なくとも３個同心円状に配置してなる。
【００３７】
これらの発光源２０−１、２０−２、２０−３、・・は、一箇所に発光源が固まって見えないように、半透過、白色、つや消しの導光リング２２によって覆われており直接には目視できない。また、発光源の周囲は光を拡散するように拡散部の拡散板で囲い込まれている。
【００３８】
また、広範に拡散しないように、例えば、図示の例で、発光源２０−１と発光源２０−２の中間点で発光源２０−１と発光源２０−２から発せられた光量の輝度レベルが半分程度まで減衰するように拡散板を調節する。発光源２０−２と発光源２０−３、発光源２０−３と発光源２０−１についても同様である。このように実装することによって発光源２０−１、２０−２、２０−３は、一箇所に発光が固まらず、発光源２０−１と発光源２０−２、発光源２０−２と発光源２０−３、発光源２０−３と発光源２０−１は相互にほどよく干渉し合うこととなる。
【００３９】
図４は多色発光源の一実施例を示す図であり、図５は多色発光源の発光原理の説明図である。
多色発光源２０は、図４に示すようなＲ＋Ｇ＋Ｂの３色のＬＥＤ集合灯からなり、パルスのテンションを図５の例に示すように変化させることで色彩や発光の仕方を変化させることができる。
【００４０】
図５で、スイッチング波形の周期Ｔは十分に短い時間帯である。図５に示すスイッチングパルス９１を積分すると符号９２で示すような波形が再現できる。逆に、周期Ｔを下回る周波数成分を持つ、いかなる波形も、パルスの幅によって再現できることが知られている。
【００４１】
多色発光源２０を構成する各ＬＥＤ（図４）に与えられる電圧波形が図示のようなパルス９１の場合、そのパルスのデンシティ（周期Ｔに占める割合）がゼロのときはＬＥＤは消灯して見え、パルスのデンシティが４０％のとき、ＬＥＤは全点灯に比べて大略４０％程度の明るさに見える。換言すれば、パルスの幅が広いほどその時間帯で明るく点灯する。つまり、パルス９１のデンシティを時系列に従って図示のように変化させると、ＬＥＤの明るさが時系列で変化して見える。
【００４２】
図６は、多色発光源を構成するＲＧＢの各ＬＥＤの点灯周期による色の見え方の説明図であり、図６（ａ）はＲのＬＥＤに印加する信号パターンの一例、図６（ｂ）はＧのＬＥＤに印加する信号パターンの一例、図６（ｃ）はＢのＬＥＤに印加する信号パターンの一例であり、図６（ａ）、（ｂ）、（ｃ）ではＲＧＢの点灯周期を微妙にずらしてある。
ＲＧＢの各ＬＥＤに図６に示したような信号を印加すると、先ず、全体にホワイトから徐々に赤く点灯をはじめ、次に、赤→黄色→緑→水色→青→・・・と徐々に色が変化し、徐々に消灯し、最後に徐々に白く点灯していくパターンとなる。
【００４３】
このような発光パターンの制御方法としては、最も簡単な例としては、例えば、パルスデューティを数値として外部から与える方法がある。この方法の例として、パルスの幅を００（０％点灯）〜ＦＦ（１００％点灯）の２５６の分解能で制御できるとして、図７に示すような発光定義情報の構造体（例えば、定義テーブル）を予め作り、イルミネーションライブラメモリ２３（図２）に格納しておき、発光制御プログラムで参照し、解釈して発光制御を行うことができる（図２０参照）。
【００４４】
この他にも、
▲１▼発光定義情報として、ある種の固定発光パターンを「関数」と「パラメータ」として定義したテーブルを作成し、発光制御プログラムで参照しながら発光制御を行う方法や、
▲２▼発光定義情報として、発光制御プログラムに複数の数学的関数を畳み込んだ（Ｃｏｎｖｏｌｕｔｉｏｎ）演算式の係数テーブルを作成し、選択された係数テーブルの係数を用いて数値演算でデューティを逐次演算して様々な発光パターンを得て発光制御を行う方法、等がある。
【００４５】
図８は、発光源２０に与える時系列信号の一実施例を示す図であり、図８（ａ）は図３の発光源２０−１に与える時系列信号、図８（ｂ）は図３の発光源２０−２に与える時系列信号、図８（ｃ）は図３の発光源２０−３に与える時系列信号である。
【００４６】
図示のようなデューティを持つ時系列信号を表す発光制御用の数値等が前述（図７）した発光定義情報として予めイルミネーションライブラリメモリ２３に格納されているとすると、発光制御プログラムで発光定義情報を解釈して、図示のようなデューティを持つ時系列信号を生成しタイミングをずらして発光源２０−１、２０−２、２０−３に与えることにより、図９に示すようにデジタルカメラに設けられた導光リング２２内を回転するように光を遷移させることができる。
【００４７】
図９はデジタルカメラの導光リング２２の発光状態の遷移を示す説明図であり、図８に示したデューティを持つ時系列信号を１秒ずつタイミングをずらして発光源に与えた結果を示す図である。
【００４８】
図８に示したようなデューティを持つ時系列信号を発光源２０−１、２０−２、２０−３に与えることで導光リング２２は時間帯によって光り方が次のように遷移して見える。
【００４９】
先ず、最初の１秒時間帯には発光源２０−１が白色に明るく、その他の部分が暗い紫色に発光して見える（図９（ａ））。それらが緩やかに遷移していき、２秒時間帯には発光源２０−２が白色に明るく、その他の部分が暗い紫色に発光して見え（図９（ｂ））、３秒時間帯には発光源２０−３が白色に明るく、その他の部分が暗い紫色に発光して見える（図９（ｃ））。
【００５０】
これらの遷移を時系列的に沿って眺めると、暗い緑の導光リング２２上を白色の光が約４秒を１周期として緩やかに回転して見える。この回転の周期は約４秒に限定されず、もっと早く、或いはもっと遅く制御可能である。また、発光色、色相及び発光の具合（例えば、チカチカ光る、等）や、回転方向（例えば、逆方向、或いは方向反転、等）も自在に制御可能である。また、同じ回転制御を行う場合でも図１０〜図１２に示す発光パターンの例のように色相やタイミングには様々なバリエーションがある。
【００５１】
図１０、図１１、図１２はそれぞれイルミネーションライブラリメモリ２３に発光定義情報として格納された発光パターンの一実施例を示す図であり、発光パターンを被写体に向けるシャッター半押し時の発光パターンの代表的な例を示す。
【００５２】
図１０の例は、「ヒーリング」パターンの一例であり、被写体人物の、少しはしゃぎすぎでくずれた表情を沈静化し、落ち着いた穏やかな表情を撮影したいとき、等に用いる発光パターンである。図示の発光パターンでＲＧＢのＬＥＤ光源を時系列に発光させることにより、発光は、全体として発光が明る過ぎず、寒色系を保ちながら遷移し、最終的に穏やかにフィードアウトする。
【００５３】
図１１の例は、「ポップ」パターンの一例であり、「ヒーリング」パターンとは逆に、例えば、はしゃいで騒ぐ友人達の集合写真の撮影時などに、その華やいだ表情をさらに助長するような、はじける楽しさを連想する発光を被写体に向けることで、狙った雰囲気を捉えようとする時、等に用いる発光パターンである。
図示の発光パターンでＲＧＢのＬＥＤ光源を時系列に発光させることにより、発光は、全体として明るめの色でパステル調、かつめまぐるしく色調を変えることで、ファインダを覗き込む被写体に楽しい雰囲気を与え得る。
【００５４】
図１２の例は、「キッズ」パターンの一例であり、子供の笑顔を捉えたいときなどに見せる発光パターンである。図示の発光パターンでＲＧＢのＬＥＤ光源をゆっくりとした時系列で発光させることにより、発光は、全体としてゆっくりとした回転で、穏やかな発光であり、子供に楽しさを伝えることにより笑顔の子供を撮影し得るよう企図したものである。
【００５５】
図１３は、発光定義情報の編集画面の一実施例を示す図であり、デジタルカメラ用の発光制御情報編集プログラムがインストールされたパソコン（図示せず）によるユーザインターフェイス（画面表示）による編集の一例を示す。
【００５６】
図１３で、パソコンの選択画面１３０の左欄に表示されているデジタルカメラ像１３１は図３に示したものと同様の構成の発光部（導光リング２２）を備えたデジタルカメラを示し、発光部には３つの発光源Ａ、Ｂ、Ｃがある。また、右欄には、撮像モードに種類を選択表示する発光タイミングの表示欄１３３、発光源Ａ、Ｂ、ＣのＲＢＧ発光タイミングの表示欄１３４、色彩統一指定欄１３５、撮影時の発光タイミング指定・選択欄１３６、ブリンク指定・選択欄１３７、回転周期指定・選択欄１３８、読み込み指定ボタン１３９、保存指定ボタン１４０、キャンセルボタン１４１が設けられている。
【００５７】
図示の例では、発光タイミング表示欄１３３には撮像モードの選択結果として「セルフタイマ撮影時」が表示され、発光源Ａ、Ｂ、Ｃの発光タイミングとしてＡ、Ｂ、Ｃの順にＲＢＧの発光時間をずらしたタイミングが表示欄１３４に表示され、「セルフタイマ撮影時」の「１０秒前」から発光するように指定・選択した結果が撮影時の発光タイミング指定・選択欄１３６に表示され、「１５」秒の間隔でブリンクするように選択・指定した結果がブリンク指定・選択欄１３７に表示され、「２秒」周期で光が回転するように選択・指定した結果が回転周期指定・選択欄１３８に表示されている。
【００５８】
図示の例では、このように選択・指定されると発光制御情報編集プログラムは選択画面１３０の左欄に表示されているデジタルカメラ像１３１の導光リング像１３２上に選択された結果に基づいた表示を行う。また、保存ボタン１４０がポイントされると発光制御情報編集プログラムは、パソコンの保存メモリに発光源Ａ、Ｂ、Ｃ毎のＲＧＢのデューティ遷移を保存（記憶）する。また、図１３では発光源をＡ、Ｂ、Ｃの３つとしたが発光源の数はこれに限定されない。また、パソコン上の選択画面１３０のレイアウト及び選択欄や表示欄の種類等は図示の例に限定されない。
【００５９】
図１４は、発光定義情報編集プログラムによる発光定義情報の編集動作の一実施例を示すフローチャートであり、発光定義情報編集プログラムがインストールされているパソコン（図示略）を用いた編集動作例である。
なお、図１４で「セッション」とは導光リング２２の発光タイミング（例えば、「電源投入時」、「セルフタイマ撮影時」、「シャッター半押し時」等々）の機会を意味する。また、「ライブラリファイル」とはセッションの全てが記述された構造体（例えば、定義テーブル）をファイルとしてセーブしたものをいう。
発光定義情報編集プログラムは、数値演算により発光定義情報の構造体（図７参照）を生成し、ライブラリファイルとして保存メモリに保存することができる。
【００６０】
図１４で、パソコンの起動後、ユーザが発光定義情報編集ジョブを選択すると発光定義情報編集プログラムが起動し（ステップＳ１）、図１３に示したようなユーザインターフェイス（ＵＩ）が画面表示される（ステップＳ２）。
【００６１】
ユーザは画面上に表示された選択欄や指定欄等をマウス等のポインティングデバイスを操作してポイントし、表示される選択肢や数値を選択又は指定することにより、発光条件を入力する。例えば、図示の各操作で、「セッション」の選択、「発光タイミング」、「発光色相／輝度」、「ブリンク間隔」、「輝度回転／色相回転周期」等の指定により、「セッション」、「発光タイミング」、「発光色相／輝度」、「ブリンク間隔」、「輝度回転／色相回転周期」等が入力される（ステップＳ３）。
【００６２】
上記ステップＳ３での操作による選択、指定の結果を画面上に表示するための表示制御を行い（ステップＳ４）、保存操作がなされた場合はステップＳ６に進み、そうでない場合はステップＳ３に戻る（ステップＳ５）。
【００６３】
各セッション毎にＲＧＢのデューティの遷移（時系列の変化）を所定の演算式により算出し、発光定義情報構造体に書き込む動作をセッションの数（図１３の例では３）だけ繰り返す（ステップＳ６）。
【００６４】
セッション数分の繰り返しが終わると、ライブラリファイル名の入力を促すメッセージを画面上に表示し、ユーザがライブラリファイル名を入力すると（ステップＳ７）、構造体にヘッダ（ライブラリ名）を付け（ステップＳ８）、ライブラリファイルとしてパソコンの記憶媒体に保存し（ステップＳ９）、次のライブラリファイルの編集を行う場合はステップＳ２に戻り、そうでない場合は編集を終了する（ステップＳ１０）。
【００６５】
上記図１４のフローチャートに示した編集動作により、パソコン等の外部装置でユーザが所望する発光定義情報ファイル（発光定義情報ライブラリファイル）を作成することができる。なお、発光パターンの定義構造はファイルに限定されない。例えば、レジストリエントリ、レジスタ、等々様々な形式がある。なお、発光定義情報編集プログラムをデジタルカメラで動作可能に構成し、デジタルカメラで発光定義情報を編集するようにしてもよい。この場合、デジタルカメラ１のＴＦＴ液晶モニタ１８には図１３に示したＵＩ（ユーザインターフェイス）が表示され、ユーザがこのＵＩを基に図１４のステップＳ３に示したような操作を行えば、発光定義情報が編集され、イルミネーションライブラリメモリ２３に保存される。
【００６６】
パソコン等の外部装置で作成した発光定義情報ファイルは、図１５（ａ）に示すように、パソコン１５１とデジタルカメラ１５５をケーブル１５３で接続し、パソコン側に予めインストールされているデータ転送プログラムを起動することにより、パソコン１５１に保存している発光定義情報ファイルのうち所望のものをケーブル１５３を介してデジタルカメラ１５５に転送し、デジタルカメラ１５５のイルミネーションライブラリメモリ２３のユーザ定義ライブラリ領域２３３に書き込むことができる。デジタルカメラ側で発光定義情報ファイルを編集するように構成することもできるが、上述したようにパソコン等の外部装置で編集し、デジタルカメラに転送するようにすることにより、デジタルカメラ側のメモリ、プログラム等の負荷を軽減することができる。
なお、図１５（ａ）の例ではパソコン１５１とデジタルカメラ１５５をケーブル接続するとしたが、赤外線通信やブルートゥース等の近距離無線通信方式等の通信方式によりパソコン１５１からデジタルカメラ１５５に発光定義情報ファイルの転送を行うようにしてもよい。
【００６７】
また、図１５（ａ）の例ではパソコン等の外部装置側で作成した発光定義情報ファイルをデジタルカメラ等の撮像装置に転送する例を示したが、図１５（ｂ）に示すようにメーカ等の発光定義情報提供者のサイト１５２からインターネット等の通信ネットワーク１５４を介して所望の発光定義情報ファイルをデジタルカメラ１５５にダウンロードすることもできる。
【００６８】
図１６は、デジタルカメラのイルミネーションライブラリメモリのレイアウト例の説明図であり、イルミネーションライブラリメモリ上にはライブラリ管理テーブルが格納された領域２３１、メーカ提供の複数の標準ライブラリが格納された標準ライブラリ領域２３２、ユーザによって編集・作成され、外部装置からの転送等により読み込まれたユーザ定義ライブラリが格納されるユーザ定義ライブラリ領域２３３からなる。
【００６９】
図１７は、デジタルカメラにおける発光定義情報選択・指定画面の一実施例を示す図であり、図１８は、発光定義情報選択・指定時の動作例を示すフローチャートである。
【００７０】
図１８で、デジタルカメラ１の液晶モニタ１８に表示されるメニュー選択画面５０（図１７（ａ））でキー操作によりカーソル５０１を上下させて「イルミネーション」メニューを選択すると、更にイルミネーションの種類（ヒーリング、ポップ、キッズ、クール、オブスキュア、・・・）が順次表示されるので、種類を選択（図示の例では「ポップ」を選択）すると（ステップＴ１）、図１７（ｂ）に示すようなライブラリ選択画面６０が表示されるので、ユーザがボタン６３をクリックしてカーソル６４を上下させ、標準ライブラリ（「標準ポップ」）、又はユーザ定義ライブラリ（「ユーザ定義ポップ１〜４」）のいずれかを選択すると（ステップＴ２）、選択されたライブラリに基づく発光状態が液晶モニタ１８の右欄に表示されているデジタルカメラ像６１の導光リング部分６２に示されるので（ステップＴ３）、ユーザが確認操作を行うと（ステップＴ４）選択されたライブラリ（発光情報ファイル）がイルミネーションライブラリメモリ２３から取り出され、ＤＲＡＭ１３に取り込まれる（ステップＴ５）。
【００７１】
図１９は、デジタルカメラのセルフタイマ撮像時における動作プログラムの動作例を示すフローチャートであり、所定のセッションで導光リングを発光させるようにステップＵ１、Ｕ４、Ｕ６、Ｕ８、Ｕ１０、及びＵ１３で発光制御プログラム（図２０参照）を呼び出す。
図１９で、ユーザがデジタルカメラ１の電源をＯＮにすると、ＭＰＵ３は動作プログラムに従って導光リング２２の発光制御プログラムを呼出し、導光リング２２を図１８で選択された発光定義情報（例えば、「ヒーリング」ユーザ定義ライブラリ４の電源オン・セッションでの発光（導光リング２２全体を赤色発光））に基づいて発光させて電源ＯＮであることがユーザにわかるようにする（ステップＵ１）。
【００７２】
ユーザが撮影モードを選択すると（ステップＵ２）、被写体画像が取り込まれ、スルー画像が表示される（ステップＵ３）。この際、ＭＰＵ３は動作プログラムに従って発光制御プログラムを呼出し、スルー画像表示の際の所定の発光定義情報（例えば、「ヒーリング」ユーザ定義ライブラリ４のスルー画像表示セッションの発光（青い光を静止発光））に基づいて導光リング２２を発光させるようにし、ステップＵ５に進む（ステップＵ４）。
【００７３】
次に、ユーザがセルフタイマ設定すると（ステップＵ５）、ＭＰＵ３は動作プログラムに従って発光制御プログラムを呼出し、セルフタイマ設定後の発光定義情報（例えば、「ヒーリング」ユーザ定義ライブラリ４のセルフタイマ動作・セッションの発光（発光約２秒周期で光を回転させる発光））に基づいて導光リング２２を発光させるようにして被写体人物にセルフタイマ動作中であることがわかるようにする（ステップＵ６）。
【００７４】
また、自動シャッターが閉じる所定時間前（例えば８秒前）になると（ステップＵ７）、ＭＰＵ３は動作プログラムに従って発光制御プログラムを呼出し、自動シャッター直前の発光定義情報（例えば、「ヒーリング」ユーザ定義ライブラリ４の自動シャッター直前セッションの発光（導光リング２２全体を０．５秒周期でブリンクさせる発光）に基づいて発光させてシャッターが閉じる直前であることを被写体人物にわかるようにする（ステップＵ８）。
【００７５】
また、セルフタイマ設定時間が到来し、シャッター５３が閉じて撮影が行われると（ステップＵ９）、ＭＰＵ３は画像データをＤＲＡＭ１３に取り込んでから、動作プログラムに従って発光制御プログラムを呼出し、導光リング２２の発光を停止させてユーザに撮影（露光）中であることがわかるようにし（ステップＵ１０）、撮影処理を開始する（ステップＵ１１）。
【００７６】
露光終了後（ステップＵ１２）、ＭＰＵ３は動作プログラムに従って導光リング２２の発光制御プログラムを呼出し、導光リング２２を露光終了時の発光定義情報（例えば、「ヒーリング」ユーザ定義ライブラリ４の露光終了セッションの発光（導光リング２２全体を緑色とする発光定義情報））に基づいて発光させて露光が終了したことがユーザにわかるようにする（ステップＵ１３）。
【００７７】
なお、上記ステップＵ１３で撮影（露光）中は導光リング２２を消灯するようにしたが、導光リング２２を発光させ、光の強さをＣＣＤ２からの光量に基づいて制御するようにしてもよいし、撮影距離（ＡＦ値）に基づいて導光リング２２の発光による影響分を補正するようにして導光リング２２の光の強さを制御するようにしてもよい。
【００７８】
また、上記図１９のフローチャートに示す動作により、デジタルカメラ１は電源ＯＮ時、スルー画像表示時、セルフタイマ設定時、シャッター動作直前時、露光終了時に導光リング２２を発光させるようにしたが、発光させるタイミング（セッション）はこれらに限定されない。
【００７９】
例えば、通常撮像時に導光リングを所定の色で発光させて被写体人物の視線をレンズ部分に集めるようにすることができる。また、この際、回転速度を変化させたり、シャッターがおりた直後に光の強さや色を変えたり、導光リング２２全体を特定の色で光らせたりすることもできる。
【００８０】
また、発光対象は導光リング２２に限定されず、レンズの周囲を発光するように複数の多色発光源を設けるようにしてもよい。また、発光具合やタイミングを下記▲１▼〜▲３▼のようにすることもできる。
▲１▼シャッタースピードに合わせてレンズ周りを点滅させるようにする。
▲２▼フィルターに合わせた色でレンズ周りを光らせる。
▲３▼音に反応させてレンズ周りの光り方を変化させる。
【００８１】
図２０は、発光制御プログラムに基づく発光制御動作を示すフローチャートである。
図１９に示したフローチャートの発光タイミング又は発光停止（消灯）タイミング（セッション）では、撮像時の動作プログラムは発光制御プログラムを呼出して、各セッションに応じた発光定義情報ファイルから発光源毎の発光遷移値（ＲＧＢデューティ値）を取り出して発光源２０を点灯して導光リング２２を発光させる。なお、図１８のステップＴ５で選択されたライブラリファイルがＤＲＡＭ１３に一時記憶されているものとする。
【００８２】
図２０で、図１９に示したフローチャートの発光タイミング又は発光停止（消灯）タイミングで発光制御プログラムが呼び出されると、ＭＰＵ３は発光制御プログラムを呼び出したタイミングを調べ、発光タイミング（＝セッション）の場合（例えば、電源ＯＮ、スルー画像表示、セルフタイマ開始、オートフォーカス、オートフォーカス終了、シャッター時間前、シャッター動作、露光終了、等の場合）はステップＶ２に進み、停止タイミングの場合（例えば、シャッター時間、シャッター半押し、シャッター全押し等の場合）はステップＶ５に進む（ステップＶ１）。
【００８３】
発光タイミングの場合は、図１８のステップＴ５でＤＲＡＭ１３に取り込まれたライブラリファイルから発光タイミングの種類又は動作プログラムから受け取る発光定義情報の番号に応じた発光定義情報を取り出して、その発光定義情報に記述されている各発光源（２０−１、２０−２、２０−３）の各ＬＥＤの発光遷移値（パルスデューティ値）を各ＬＥＤに対応付けて主メモリ（この例ではＤＲＡＭ１３）に展開し（ステップＶ３）、発光定義情報ファイルに規定された色彩、周期及び強度で、展開したパルスデューティ値どおりに各ＬＥＤの発光を制御し、発光源２０−１、２０−２、２０−３を発光定義情報ファイルに規定されたタイミングで順次発光させて、導光リング２２を発光させる（ステップＶ４）。
【００８４】
また、停止タイミングの場合は、各発光源の各ＬＥＤを消灯させて導光リング２２の発光を停止させる（ステップＶ５）。
【００８５】
上記図２０のフローチャートに示した動作により、デジタルカメラ１の通常の撮像モード及びセルフタイマモードの所定のタイミングでレンズ周辺を発光させ、所定の色彩及び色相の光を所定の周期でリングに沿って回転させたり、周辺全体を光らせたり、点滅させたり、発光を停止させることができる。
【００８６】
なお、発光はレンズ周辺に限定されず、また、リング状に発光させる場合も１つのリングではなく複数のリングを発光させるようにすることもできる。また、発光させるモードは、セルフタイマモードや通常撮影モードに限定されない。つまり、発光させる処理モードの発光タイミングに応じた発光定義情報ファイルを編集・作成してイルミネーションライブラリメモリ２３等の保存メモリに格納しておき、発光タイミング又は発光停止タイミングで動作プログラムが発光制御プログラムを呼び出すように構成すればよい。
【００８７】
なお、上記ステップＶ３、Ｖ４で用いる発光定義情報は図７に示したような発光定義情報ファイルで記述されているものに限定されない。例えば、発光源毎に各ＬＥＤの所定の発光パターンを関数とパラメータで定義したテーブルであってもよく、発光源毎に各ＬＥＤに与えるパルスデューティの演算式の係数を含むテーブルでもよい。なお、この場合は、ステップＶ３では発光タイミングに応じた係数の演算式による演算結果を各ＬＥＤに対応付けて主メモリに展開するようにする。
【００８８】
＜第２の実施の形態＞
図２１は、本発明の実施の形態を撮像部を備えた携帯電話に適用した場合の一実施例を示す図であり、図２１（ａ）は携帯電話１７０の開状態の外観を示す正面図、図２１（ｂ）は背面図である。図において、携帯電話１７０は大きく蓋部１７２と本体部１７３から構成されている。また、蓋部１７２は本体部１７３側に折り込み可能に構成されている。アンテナ１７４は蓋部１７２の背面に設けられており、伸縮自在となっている。
【００８９】
スピーカ１７５は、蓋部１７２の前面側に設けられており、音声出力を行う。表示部（メイン表示部）１７６はカラー液晶であり、開状態でカメラモードへの移行を検出するとスルー画像を表示する。シャッターキー１７７は本体部１７３の側面に設けられており、カメラモードにおいて、ユーザの押圧操作により、後述する撮像レンズ１８１による撮像を指示する。キー入力部１７８は本体部１７３の前面に設けられており、各種機能キーや、テンキーからなる。マイク１８９は本体部１７３の下部に設けられており、音声入力を行う。
【００９０】
背面キー１８０は、透明、又は半透明部材で構成され、着信の際発光するＬＥＤを内蔵する。撮像レンズ１８１は、蓋部１７２の背面、上記背面キー１８０の下部に設けられている。撮像レンズ１８１の周囲には同心円状の導光リング１８２が設けられており、後述するようにカメラモードにおいて、所定のタイミングで発光し、カメラモードの各タイミングを報知すると共に、携帯電話の装飾的イルミネーションとしての役割をなす。なお、導光リングの発光原理及び光の見えかたは前述した第１の実施の形態で説明した導光リング２２の発光原理及び光の見えかた（図３〜図１２参照）と同様である。
【００９１】
バッテリーパック１８３は本体部１７３の裏面に着脱可能に設けられており、ロック部１８４により固定されている。報知スピーカ１８５は着信などを報知するものである。
【００９２】
図２２は本実施の形態による携帯電話の構成を示すブロック図である。無線送受信部１８６は無線によりアンテナ１７４を介して音声やデータを送受する。無線信号処理部１８７は無線送受信部１８６で受信した音声やデータを復調し、或いは無線送受信部１８６から送信する音声やデータを変調するなどの無線通信に必要な処理を行う。制御部１８８はＲＯＭ１９４に格納されている動作プログラムにより、蓋部１７２、本体部１７３、及び携帯電話１７０全体の動作を制御する。
【００９３】
検出部１８９はシャッターキー１７７が操作されたことを検出する。開閉検出部１９０は、光センサ、メカニカルスイッチ等で構成され、携帯電話１７０が開状態（蓋部１７２と本体部１７３が開放された状態）になったのか、閉状態（本体部１７３に蓋部１７２が被さった状態）かを検出する。また、ドライバ１９１は表示部１７６を駆動させる。
【００９４】
発光ブロック１９２は、ＲＧＢ集合灯からなる発光源（図３、図４参照）に電気的に接続し、必要に応じて駆動されるもので、例えば、撮像時に、制御部１８８で発光制御プログラムに従って生成される発光制御信号に基いて発光源または発光源を構成するＲＧＢ集合灯のうちの特定のＬＥＤを発光させる。
【００９５】
加入者情報記憶部１９３は携帯電話１７０を呼び出すための電話番号やユーザ（加入者）のＩＤ等、プロフィールデータを格納する。ＲＯＭ１９４は制御部の動作プログラムが記録されたプログラム格納用ＲＯＭである。また、ＲＯＭ１９４にはカメラモードにおける動作プログラム（図１９参照）や、後述する導光リングの発光制御プログラム（図２０参照）及び発光制御用のテーブル（例えば、発光定義情報ファイル（図７参照））が格納されている。
【００９６】
ＭＲＯＭ１５に記録されたカメラモードにおける動作プログラムは、撮像時に発光制御プログラムを動作させ、ＲＧＢ集合灯のＲ、Ｇ、Ｂそれぞれの発光タイミングと発光源が複数の場合はそれらの発光順序等を制御する発光制御信号を生成させ、導光リング２２の発光制御を行わせる。但し、カメラモード（撮像モード）における動作プログラムは、図１９に示したフローチャートのステップＵ２〜Ｕ４、ステップＵ９〜Ｕ１３の動作を含めばよく、ステップＵ１、ステップＵ５〜Ｕ８は不要である。
【００９７】
ＲＡＭ１９５は無線通信端末として必要な各種データを記憶し、且つ制御部１８８が動作する上で必要なプログラムやデータを記憶すると共に、撮像された画像データも記憶する。音声信号処理部１９６は、マイク１７９から入力された音声信号を符号化処理したり、無線信号処理部１８７から出力された信号に基づいて復号化してスピーカ１７５から出力したりする。
【００９８】
ＤＳＰ１９７は撮影モジュール１９８に取り込まれた画像データを符号化処理する。撮影モジュール１９８はＣＣＤ若しくはＣＭＯＵで構成され、撮像レンズ１８１を介して被写体のカラー画像を取り込む。ドライバ１９９は、スピーカ１８５、バイブレータ２００、背面キー１８０のＬＥＤ１１１を駆動するためのドライバである。
【００９９】
上記図２１、図２２で示された携帯電話１７０は撮像モードで所定のタイミングで導光リング１８２を発光させ、タイミングを示唆すると共に装飾イルミネーションとしての役割を果たすことができる。
【０１００】
例えば、撮像時の発光タイミングを、スルー画像表示時、露光終了時、発光停止のタイミングをシャッターキー１７７の操作時としたとき、図１９のフローチャートで示されるデジタルカメラの撮像時の動作プログラムの動作のうち、ステップＵ２〜Ｕ４とステップＵ９〜Ｕ１３の動作を携帯電話１７０のカメラモード時の動作プログラムの動作とすればよい（但し、ステップＵ９をシャッターキー１７７の操作判定動作とする）。このようにした場合、スルー画像表示時には図２０に示すような発光制御プログラムが呼び出され、スルー画像表示の際の所定の発光定義情報（例えば、約２秒周期で白い光が右方向に回転させる発光定義情報）により導光リング１８２を発光させるようにできる。また、ユーザがシャッターキー１７７を操作すると発光制御プログラムを呼出し、導光リング１８２の発光を停止させてユーザに撮影（露光）中であることがわかるようにし、撮影処理を開始する。そして、露光終了後に発光制御プログラムを呼出し、導光リング１８２を所定の発光定義情報（例えば、導光リング２２全体を緑色に発光させる発光定義情報）に基づいて発光させて露光が終了したことがユーザにわかるようにすることができる。
【０１０１】
以上、本発明の一実施例について説明したが本発明は上記実施例に限定されるものではなく、種々の変形実施が可能であることはいうまでもない。
【０１０２】
【発明の効果】
上記説明したように、本発明の発光部を備えた撮像装置、発光方法、及びプログラムによれば、目的や被写体人物により異なる発光パターンを選択可能であることから、被写体人物の関心を撮像装置に集中できる。また、発光タイミングによる発光パターンの変化により視認性を高めると共に意匠性に富んだ表現ができる。
【図面の簡単な説明】
【図１】本発明の概要説明図である。
【図２】デジタルカメラの内部構成の概略を示すブロック図である。
【図３】本発明の発光部を備えた撮像装置の概要説明図である。
【図４】多色発光源の一実施例を示す図である。
【図５】多色発光源の発光原理の説明図である。
【図６】多色発光源を構成するＲＧＢの各ＬＥＤの点灯周期による色の見え方の説明図である。
【図７】発光定義情報の一実施例を示す図である。
【図８】発光源に与える時系列信号（発光パターン信号）の一実施例を示す図である。
【図９】デジタルカメラの導光リングの発光状態の遷移を示す説明図である。
【図１０】発光源に与える発光パターンの一実施例を示す図である。
【図１１】発光源に与える発光パターンの一実施例を示す図である。
【図１２】発光源に与える発光パターンの一実施例を示す図である。
【図１３】発光定義情報の編集画面の一実施例を示す図である。
【図１４】発光定義情報編集プログラムによる発光定義情報の編集動作の一実施例を示すフローチャートである。
【図１５】発光定義情報ファイルのデジタルカメラへの転送例を示す図である。
【図１６】デジタルカメラのイルミネーションライブラリメモリのレイアウト例の説明図である。
【図１７】デジタルカメラにおける発光定義情報選択・指定画面の一実施例を示す図である。
【図１８】発光定義情報選択・指定時の動作例を示すフローチャートである。
【図１９】デジタルカメラの撮像時における動作プログラムの動作例を示すフローチャートである。
【図２０】発光制御プログラムに基づく発光制御動作を示すフローチャートである。
【図２１】本発明の実施の形態を撮像部を備えた携帯電話に適用した場合の一実施例を示す図である。
【図２２】図２１の携帯電話の構成を示すブロック図である。
【符号の説明】
１  デジタルカメラ（撮像装置）
３  ＭＰＵ（発光制御手段）
４、１８１  撮像レンズ
２０  発光源
２２、１８２  導光リング（発光部）
２３  イルミネーションライブラリメモリ（ライブラリメモリ）
５０  メニュー選択画面（選択手段）
６０  ライブラリ選択画面（選択手段）
７０  ライブラリファイル
１５１  パソコン（外部装置）
１５２  サーバ（外部装置）
１７０  撮像部付き携帯電話（撮像装置）
１８８  制御部（発光制御手段）
【図１】
2004356969.tif 000003
【図２】
2004356969.tif 000004
【図３】
2004356969.tif 000005
【図４】
2004356969.tif 000006
【図５】
2004356969.tif 000007
【図６】
2004356969.tif 000008
【図７】
2004356969.tif 000009
【図８】
2004356969.tif 000010
【図９】
2004356969.tif 000011
【図１０】
2004356969.tif 000012
【図１１】
2004356969.tif 000013
【図１２】
2004356969.tif 000014
【図１３】
2004356969.tif 000015
【図１４】
2004356969.tif 000016
【図１５】
2004356969.tif 000017
【図１６】
2004356969.tif 000018
【図１７】
2004356969.tif 000019
【図１８】
2004356969.tif 000020
【図１９】
2004356969.tif 000021
【図２０】
2004356969.tif 000022
【図２１】
2004356969.tif 000023
【図２２】
2004356969.tif 000024